(57)【要約】【課題】十分な芳香性を有するとともに、目立たせずに身に付けられ、更に、短期間のうちに芳香性液体を発散させることが可能な芳香性装身部材及び芳香性装身具を提供する。【解決手段】芳香性液体Ｌを吸収可能な扁平形状であり、多孔が外部に露出する外表面の面積Ｓが１００ｍｍ２〜２６００ｍｍ２の範囲内であり、厚さＴが０．３ｍｍ〜３．０ｍｍの範囲内である耐食性の多孔質部材１１と、前記多孔質部材１１を所定の部材に取り付け可能な取り付け部材１２とを備え、前記多孔質部材１１に前記芳香性液体Ｌを数滴だけ吸収させて、前記取り付け部材１２でユーザの衣服又は持ち物に取り付けられることを特徴とする芳香性装身部材。又、前記多孔質部材２１を用いた芳香性装身具２。【選択図】図２
2014217708.tif 000002
【特許請求の範囲】
【請求項１】
芳香性液体を発散させる芳香性装身部材であって、
前記芳香性液体を吸収可能な扁平形状であり、多孔が外部に露出する外表面の面積が１００ｍｍ２〜２６００ｍｍ２の範囲内であり、厚さが０．３ｍｍ〜３．０ｍｍの範囲内である耐食性の多孔質部材と、
前記多孔質部材を所定の位置に取り付け可能な取り付け部材と
を備え、
前記多孔質部材に芳香性液体を数滴だけ吸収させて、前記取り付け部材でユーザの衣服又は持ち物に取り付けられることを特徴とする芳香性装身部材。
【請求項２】
芳香性液体を発散させる芳香性装身具であって、
前記芳香性液体を吸収可能な扁平形状であり、多孔が外部に露出する外表面の面積が１００ｍｍ２〜２６００ｍｍ２の範囲内であり、厚さが０．３ｍｍ〜３．０ｍｍの範囲内である耐食性の多孔質部材と、
前記多孔質部材を収容可能な収容部と当該収容部の上面に開閉可能に設けられた蓋部とから構成され、前記蓋部に複数の小開孔が設けられるとともに当該小開孔の開孔率が５０％〜９９％の範囲内である扁平形状の小容器と、
前記小容器を所定の位置に取り付け可能な取り付け部材と
を備え、
前記収容部に収容された多孔質部材に芳香性液体を数滴だけ吸収させて、前記蓋部を閉じた状態で前記取り付け部材でユーザの衣服又は持ち物に取り付けられることを特徴とする芳香性装身具。
【発明の詳細な説明】
【技術分野】
【０００１】
本発明は、芳香性装身部材及び芳香性装身具に関し、詳しくは、十分な芳香性を有するとともに、目立たせずに身に付けられ、更に、短期間のうちに芳香性液体を発散させることが可能な芳香性装身部材及び芳香性装身具に関する。
【背景技術】
【０００２】
従来、香り付き焼結金属片として、多孔質を有するポーラスな焼結金属体に香料を含浸させたものが種々提案されている。この香り付き焼結金属片は、香料等の含浸状態を維持するために、香料の確実な浸透性や適度な発散性を具備するよう適宜設計変更されている。
【０００３】
ここで、前記焼結金属片は、孔が極めて細かく厚く複雑なため、液体香料が孔内部に染み込み、内部にいつまでも残ってしまい、短期間（例えば、３日前後）に発散し尽すことが無かった。そのため、毎日、異なる香りを楽しみたいユーザ（使用者）にとって使い勝手が悪いという問題があった。
【０００４】
そこで、例えば、特開２００６−２７４３７７号公報（特許文献１）には、多数の直線状の貫通孔（１ａ）を有した焼結金属体（１）に、液体香料（２）を含浸させたことを特徴とする香り付き焼結金属片が開示されている。これにより、液体香料（２）の香りをより多く発散させることができて、その香りの入れ替えが容易となるとしている。又、市販の香水やアロマテラピーのアロマオイルを焼結金属体に浸透させて、ユーザが好きな香りを楽しむことができて、洗浄が可能で、何回も他の香りに替えて種々の香りを楽しむことが可能となるとしている。
【０００５】
又、特開２００８−２４００９１号公報（特許文献２）には、平均粒子径が１０〜２００μｍの金属粉末を、加圧・圧縮し、加熱して焼結させた、空孔率が２０〜３５％の焼結金属が開示されている。当該金属は、空孔部に液状の香料が含浸可能にされてなる焼結金属部品であり、更に、当該焼結金属部品が取り付けられた製品として構成している。これにより、空孔率（または空隙率）の高さに対応して多量の香料を含浸させることが可能で、あたかも金属が香ると認識され、しかも香りの持続性（保香性）にも優れているとしている。又、微細な金属粉末を焼結させており、その表面の微細な空隙は肉眼では視認出来ないので、外観が美麗であるとしている。更に、最大径が５ｍｍ以下の小型の製品にも取り付け出来るので、その応用範囲は極めて大であり、他の製品と組み合わせて使用可能であるとしている。又、この焼結金属部品に香料を含浸させた際には、組み合された製品、例えば、宝飾品（ジュエリー）、装身具、装飾品、日用品、置物などに香りを付与することが可能となり、製品の商品価値を高めることが出来るとしている。
【０００６】
又、特開２００２−３６３７１５号公報（特許文献３）には、ＳＵＳ３１６Ｌ（ステンレススチール）粉末を焼結して構成し、気孔率が１８〜２５％であることを特徴とする高耐食性及び高吸収性多孔質焼結合金体が開示されている。これにより、金属製アクセサリの多様なデザインや視覚的な華麗さとともに、更に、嗅覚的な効果を加え、製品満足の極大化を実現させることが出来るとしている。更に、ユーザ（消費者）の多様な欲求を満足させることだけではなく、従来の多孔質焼結合金体より耐食性が向上し、耐久性が増加され、発香期間が長くなり、注入された液状の香料がなくなった際、消費者が容易にリフィル（補給）出来る効果があるとしている。
【０００７】
又、実用新案登録第３１０８４２３号公報（特許文献４）には、香料を含浸させることが出来る芳香部と、該芳香部に固着された保持部を有する身飾具が開示されている。当該身飾具の芳香部は金属あるいはセラミックスの多孔性焼結体であり、保持部は該芳香部に一体形成された金属あるいはセラミックスの高密度焼結体であることを特徴とする。これにより、装飾機能だけでなく、芳香を発する機能も有するため、芳香部材と装飾機能を有する部分が別々に形成された身飾具と異なり、身飾具をよりコンパクトに形成したりより複雑な形状に形成したりすることが可能であるとしている。又、芳香部の取り外し等の煩雑な手間がかからないという効果があるとしている。
【０００８】
又、特開２０１１−２１７７９１号公報（特許文献５）には、所定の形状及び寸法からなる、香料が含浸可能な焼結金属部材と、該焼結金属部材を収容する収容部と、該収容部に穿設された、前記収容部内に充満する前記焼結金属部材の芳香を含む空気を外部に放出するための通気孔とを備える装身具が開示されている。ここで、前記収容部は、収容された前記焼結金属部材が運動可能となる形状及び寸法に形成されていることを特徴とする。これにより、芳香を放出する焼結金属部材内の香料の乾燥を遅らせることができ、例えば、装身具本体を振動させたり、外部からの押し込み操作をしたりすることによって、本体内に収容する焼結金属部材内の香料の気化を促し、香料から出る芳香の放出量を調整することが出来るとしている。
【先行技術文献】
【特許文献】
【０００９】
【特許文献１】特開２００６−２７４３７７号公報
【特許文献２】特開２００８−２４００９１号公報
【特許文献３】特開２００２−３６３７１５号公報
【特許文献４】実用新案登録第３１０８４２３号公報
【特許文献５】特開２０１１−２１７７９１号公報
【発明の概要】
【発明が解決しようとする課題】
【００１０】
しかしながら、上述した特許文献１−５に記載の技術では、ユーザが多孔質部材に芳香性液体を含浸させて身に付けた場合に、当該多孔質金属片の寸法や厚さによって、ユーザが芳香性液体の香りを感じることが出来ないという問題があった。特に、前記多孔質部材の寸法や厚さによって、ユーザの衣服等と似合わなかったり（違和感があったり）、一度、含浸させた芳香性液体がなかなか発散し尽くさずに内部に残存したりする問題があった。従って、多孔質部材に芳香性液体を吸収させてその香りを楽しむ技術について未だ改良の余地があった。
【００１１】
そこで、本発明は、前記問題を解決するためになされたものであり、十分な芳香性を有するとともに、目立たせずに身に付けられ、更に、短期間のうちに芳香性液体を発散させることが可能な芳香性装身部材及び芳香性装身具を提供することを目的とする。
【課題を解決するための手段】
【００１２】
本発明者は、鋭意研究を重ねた結果、本発明に係る新規な芳香性装身部材及び芳香性装身具を完成させた。
【００１３】
即ち、本発明に係る芳香性装身部材は、芳香性液体を発散させる芳香性装身部材であって、前記芳香性液体を吸収可能な扁平形状であり、多孔が外部に露出する外表面の面積が１００ｍｍ２〜２６００ｍｍ２の範囲内であり、厚さが０．３ｍｍ〜３．０ｍｍの範囲内である耐食性の多孔質部材と、前記多孔質部材を所定の位置に取り付け可能な取り付け部材とを備え、前記多孔質部材に芳香性液体を数滴だけ吸収させて、前記取り付け部材でユーザの衣服又は持ち物に取り付けられることを特徴とする。
【００１４】
又、本発明に係る芳香性装身具は、芳香性液体を発散させる芳香性装身具であって、前記芳香性液体を吸収可能な扁平形状であり、多孔が外部に露出する外表面の面積が１００ｍｍ２〜２６００ｍｍ２の範囲内であり、厚さが０．３ｍｍ〜３．０ｍｍの範囲内である耐食性の多孔質部材と、前記多孔質部材を収容可能な収容部と当該収容部の上面に開閉可能に設けられた蓋部とから構成され、前記蓋部に複数の小開孔が設けられるとともに当該小開孔の開孔率が５０％〜９９％の範囲内である扁平形状の小容器と、前記小容器を所定の位置に取り付け可能な取り付け部材とを備え、前記収容部に収容された多孔質部材に芳香性液体を数滴だけ吸収させて、前記蓋部を閉じた状態で前記取り付け部材でユーザの衣服又は持ち物に取り付けられることを特徴とする。
【発明の効果】
【００１５】
本発明に係る芳香性装身部材及び芳香性装身具によれば、十分な芳香性を有するとともに、目立たせずに身に付けられ、更に、短期間のうちに芳香性液体を発散させることが可能となる。
【図面の簡単な説明】
【００１６】
【図１】本発明に係る芳香性装身部材の平面図及び多孔質部材の正面図である。
【図２】本発明に係る芳香性装身部材の多孔質部材に芳香性液体を吸収させる場合の平面斜視図（図２Ａ）と本発明に係る芳香性装身部材をユーザの頭に近い位置に取り付ける場合の平面斜視図（図２Ｂ）とである。
【図３】本発明に係る芳香性装身具の平面図及び多孔質部材の正面図である。
【図４】本発明に係る芳香性装身具の多孔質部材に芳香性液体を吸収させる場合の平面斜視図（図４Ａ）と本発明に係る芳香性装身部材をユーザの頭に近い位置に取り付ける場合の平面斜視図（図４Ｂ）とである。
【図５】本発明に係る他の芳香性装身具の平面図及び多孔質部材の正面図である。
【図６】本発明に係る芳香性装身具の蓋部を閉じた状態の平面図、蓋部を開けた状態の平面図、底面図、スナップフックを外した状態の底面図、スナッピンを外した状態の底面図である。
【図７】本発明に係る芳香性装身具をカバンの持ち手のアクセサリに取り付けた状態の図である。
【図８】本発明に係る芳香性装身具を上着の胸ポケットに取り付けた状態の図である。
【図９】本発明に係る芳香性装身具を傘の下ロクロの受骨に取り付けた状態で下ロクロを上方へ摺動させる場合の３段階の斜視図である。
【図１０】本発明に係る芳香性装身具とアロマとのセットを示す正面図である。
【図１１】本発明に係る芳香性装身部材の構成及び試験結果を示す表である。
【図１２】本発明に係る芳香性装身具の構成及び試験結果を示す表である。
【発明を実施するための形態】
【００１７】
以下に、添付図面を参照して、本発明に係る芳香性装身部材及び芳香性装身具の実施形態について説明し、本発明の理解に供する。尚、以下の実施形態は、本発明を具体化した一例であって、本発明の技術的範囲を限定する性格のものではない。
【００１８】
＜芳香性装身部材＞
本発明者は、従来の多孔質部材（多孔性部材）の寸法を検討した結果、多孔が外部に露出する外表面の面積が小さすぎると、芳香性液体が十分に発散せずに香りを楽しむことが出来ず、一方、前記外表面の面積が大きすぎると、身に付けた際に目立ち過ぎて違和感が生じる（装飾性を損なう）ことを発見した。
【００１９】
又、本発明者は、従来の多孔質部材の厚さを検討した結果、厚さが厚すぎると、吸収させた芳香性液体が長期間内部に残存してしまい、一方、厚さが薄すぎると、吸収された芳香性液体がそのまま外へ漏れてしまい、当該芳香性液体の香りを確実に楽しむことが出来ないことを発見した。
【００２０】
従って、本発明者は、上述した発見に基づいて、従来の多孔質部材の構成を改良することで、新規な芳香性装身部材を完成させたのである。
【００２１】
即ち、本発明に係る芳香性装身部材１は、芳香性液体を発散させる芳香性装身部材であって、図１に示すように、前記芳香性液体を吸収可能な扁平形状であり、多孔が外部に露出する外表面の面積Ｓが１００ｍｍ２〜２６００ｍｍ２の範囲内であり、厚さＴが０．３ｍｍ〜３．０ｍｍの範囲内である耐食性の多孔質部材１１と、前記多孔質部材１１を所定の位置に取り付け可能な取り付け部材１２とを備える。更に、本発明に係る芳香性装身部材１は、図２Ａに示すように、前記多孔質部材１１に芳香性液体Ｌを数滴だけ吸収させて、図２Ｂに示すように、前記取り付け部材１２でユーザの衣服Ｘ又は持ち物（後述する）に取り付けられることを特徴とする。
【００２２】
これにより、十分な芳香性を有するとともに、目立たせずに身に付けられ、更に、短期間のうちに芳香性液体を発散させることが可能となる。
【００２３】
特に、前記多孔質部材１１は、上述のように非常に薄肉で扁平な形状であるため、前記芳香性液体Ｌを数滴垂らした場合、当該芳香性液体Ｌの香りが有効な期間は約１日〜２日程度となる。そのため、本発明は、毎日、異なる香りを楽しみたいユーザにとって好適である。
【００２４】
又、前記多孔質部材１１は耐食性であるため、水やお湯で洗浄すれば、内部まで吸収された芳香性液体Ｌを容易に洗い流すことが可能となる。仮に、水やお湯でも前記芳香性液体Ｌを洗い流すことが出来ない場合、例えば、市販の有機溶媒、アセトン等を含有する除光液等を用いて洗浄すれば、前記芳香性液体Ｌを確実に洗い流すことが可能となる。
【００２５】
ここで、前記外表面の面積Ｓは、１００ｍｍ２〜２６００ｍｍ２の範囲内であれば、本発明の目的を阻害しない限り、特に限定は無い。前記外表面の面積Ｓは、例えば、３００ｍｍ２〜１３００ｍｍ２の範囲内であれば好ましく、３００ｍｍ２〜６５０ｍｍ２の範囲内であれば更に好ましい。このように構成すると、ユーザが感じ取れる程度に芳香性液体Ｌを効果的に発散させることが出来るとともに、前記多孔質部材１０を適度に小型化出来て、ユーザが見た目を気にすることなく気軽に身に付けることが可能となる。尚、外表面の面積Ｓは、例えば、重量法等の公知の方法で算出される。
【００２６】
ところで、多孔が外部に露出する外表面Ｓは、多孔質部材１１の内部の芳香性液体Ｌが外部へ発散可能な外表面を意味する。例えば、多孔質部材１１の表面と裏面との両面に多孔が外部に露出する場合、当該多孔質部材１１の外表面の面積Ｓは、表面の面積と裏面の面積との合計となる。又、例えば、多孔質部材１１の裏面にアルミ等の金属板を張り付けたり金属を蒸着させたりして、当該裏面の多孔を塞いだ場合、当該多孔質部材１１の外表面の面積Ｓは、表面の面積のみとなる。
【００２７】
又、前記多孔質部材１１の厚さＴは、０．３ｍｍ〜３．０ｍｍの範囲内であれば、本発明の目的を阻害しない限り、特に限定は無い。前記多孔質部材１１の厚さＴは、例えば、０．５ｍｍ〜１．５ｍｍの範囲内であれば更に好ましい。このように構成すると、吸収させた数滴の芳香性液体Ｌが多孔質部材１０から殆ど漏れ出ること無く、更に、内部まで浸透した芳香性液体Ｌも短期間で発散してしまうため、当該芳香性液体Ｌの漏れや長期間残存の問題を解決することが出来る。尚、多孔質部材１１の厚さＴは、公知の方法で算出される。
【００２８】
又、前記多孔質部材１１の材質は、耐食性であれば、本発明の目的を阻害しない限り、特に限定は無い。前記多孔質部材１１の材質は、例えば、チタン、チタン合金、酸化チタン、アルミニウム、アルミニウム合金、酸化アルミニウム、銀、銀合金、酸化銀、酸化珪素、炭化珪素、窒化珪素等が挙げられる。又、前記多孔質部材１１の構成は、前記芳香性液体を吸収可能な構成であれば、本発明の目的を阻害しない限り、特に限定は無く、例えば、外表面から内部まで連続した貫通孔が存在する構成であり、焼結体、編体、繊維体等が挙げられる。
【００２９】
特に、前記多孔質部材１１は、金属微粒子を加圧・圧縮し、加熱して焼結させた焼結金属体が好ましい。このように構成すると、多種の芳香性液体Ｌを何度も吸収させることが可能となり、何度も利用することが可能となる。又、金属の熱伝導率の高さにより、更に、芳香性液体Ｌを短期間で発散し尽くさせることが可能となる。
【００３０】
又、前記多孔質部材１１の（外表面の）平均孔径は、本発明の目的を阻害しない限り、特に限定は無く、例えば、０．００１ｍｍ〜０．１００ｍｍの範囲内であれば好ましく、０．０１０ｍｍ〜０．０５０ｍｍの範囲内であれば更に好ましい。このように構成すると、毛細管現象により、芳香性液体Ｌを多孔質部材１１に速やかに吸収させることが出来るとともに、当該吸収させた芳香性液体Ｌを短期間で外部に発散させ尽くすことが可能となる。尚、前記多孔質部材１１の平均孔径は、例えば、多孔の外表面を光学顕微鏡で観察した場合にその画像内の（開）孔として認められる黒色領域の直径を平均することで算出される。
【００３１】
又、前記多孔質部材１１の空孔率は、本発明の目的を阻害しない限り、特に限定は無く、例えば、２０％〜９５％の範囲内が好ましく、更に、３０％〜８０％の範囲内が更に好ましい。このように構成すると、上述と同様に、毛細管現象により、芳香性液体Ｌを多孔質部材１１に速やかに吸収させることが出来るとともに、十分に芳香性液体Ｌを内部に吸収させることが可能となる。尚、前記多孔質部材１１の空孔率は、公知の方法により算出される。
【００３２】
又、前記多孔質部材１１の形状は、本発明の目的を阻害しない限り、特に限定は無く、例えば、図１に示すように、円形、ハート形状、ダイヤ形状はもちろん、楕円形、三角形、四角形、五角形、六角形、多角形、スペード形状、クローバ形状、植物を模した形状、動物（カエルやクマ等）を模した形状等が挙げられる。
【００３３】
又、前記取り付け部材１２は、本発明の目的を阻害しない限り、特に限定は無く、例えば、図１に示すように、スナップフックはもちろん、フック、安全ピン、回転ピン、クリップ、バンドクリップ、磁石等が挙げられる。
【００３４】
又、前記芳香性液体Ｌは、香り成分を含む液体であれば、本発明の目的を阻害しない限り、特に限定は無く、例えば、アロマオイル、エッセンシャルオイル（精油）、フレグランスオイル、香水等が挙げられる。又、前記芳香性液体Ｌは、悪臭を抑える消臭性液体であっても構わない。
【００３５】
又、前記芳香性液体Ｌの量は、数滴であれば、本発明の目的を阻害しない限り、特に限定は無く、例えば、１滴〜５滴の範囲内が好ましく、１滴〜３滴の範囲内が更に好ましい。
【００３６】
又、前記ユーザの衣服Ｘ又は持ち物は、本発明の目的を阻害しない限り、特に限定は無く、例えば、ワイシャツ、上着、ズボン、ネクタイ、リボン、ネックレス、イヤリング、ピアス、ネクタイピン、カフスボタン、カフリンクス、ブローチ、バッチ、ブレスレット、指輪、ペンダント、マフラー、スカーフ、めがね、バック、カバン、傘等が挙げられる。前記衣服Ｘ又は持ち物において取り付けられる位置は、本発明の目的を阻害しない限り、特に限定は無く、例えば、ユーザの顔（頭）に近い位置、首周り、胸近傍等であると、更に、芳香性液体Ｌの香りをユーザは楽しむことが可能となる。上着であれば、本発明に係る芳香性装身部材１を、胸ポケットか、胸ポケットの中に入れればよい。
【００３７】
＜芳香性装身具＞
又、本発明は、上述した多孔質部材１１を用いた芳香性装身具として応用することが可能である。
【００３８】
即ち、本発明は、芳香性液体を発散させる芳香性装身具２であって、図３Ａ、図３Ｂに示すように、前記芳香性液体を吸収可能な扁平形状であり、多孔が外部に露出する外表面の面積Ｓが１００ｍｍ２〜２６００ｍｍ２の範囲内であり、厚さＴが０．３ｍｍ〜３．０ｍｍの範囲内である耐食性の多孔質部材２１と、前記多孔質部材２１を収容可能な収容部２２ａと当該収容部２２ａの上面に開閉可能に設けられた蓋部２２ｂとから構成され、前記蓋部２２ｂに複数の小開孔２２ｂ１が設けられるとともに当該小開孔２２ｂ１の開孔率が５０％〜９９％の範囲内である扁平形状の小容器２２と、前記小容器２２を所定の位置に取り付け可能な取り付け部材２３とを備える。更に、本発明に係る芳香性装身具２は、図４Ａに示すように、前記収容部２２ａに収容された多孔質部材２１に芳香性液体Ｌを数滴だけ吸収させて、前記蓋部２２ｂを閉じた状態で前記取り付け部材２３でユーザの衣服Ｘ又は持ち物に取り付けられることを特徴とする。
【００３９】
これにより、上述と同様に、十分な芳香性を有するとともに、目立たせずに身に付けられ、更に、短期間のうちに芳香性液体Ｌを発散させることが可能となる。
【００４０】
特に、本発明に係る芳香性装身具２は、ユーザの衣服や持ち物（装飾品等）に固定した場合に、多孔質部材２１の内部に吸収された芳香性液体Ｌが外部に全く漏れないため、当該芳香性液体Ｌによる衣服や持ち物への汚れを確実に防止することが可能となる。又、前記多孔質部材２１は、通常、扁平形状で、機械的強度が低いことから、前記小容器２２で覆うことで、当該多孔質部材２１の耐久性を向上させて、本発明に係る芳香性装身具２を半永久的に使用することが可能となる。
【００４１】
尚、前記多孔質部材２１、取り付け部材２３の設計事項は、上述した芳香性装身部材１と同様であるため、省略する。
【００４２】
ここで、前記小開孔２２ｂ１の開孔率は、５０％〜９９％の範囲内であれば、本発明の目的を阻害しない限り、特に限定は無く、例えば、５０％〜８０％の範囲内であれば好ましい。このように構成すると、内部の多孔質物質２１からの芳香性液体Ｌを確実に外部に発散させて、ユーザは香りを十分に楽しむことが可能となる。尚、前記小開孔２２ｂ１の開孔率は、例えば、前記蓋部２２ｂの全ての小開孔２２ｂ１の寸法に切断した用紙の重量から前記蓋部２２ｂの表面（又は裏面）全体の寸法に切断した用紙の重量を除算して求める重量法等の公知の方法で算出される。
【００４３】
又、前記小容器２２の収容部２２ａは、本発明の目的を阻害しない限り、特に限定は無いが、例えば、前記蓋部２２ｂと比較して無孔の収容部であると好ましい。このように構成することにより、前記多孔質部材２１に芳香性液体Ｌを吸収させた場合に、当該多孔質部材２１の底面に位置する収容部２２ａから芳香性液体Ｌが全く漏れ出ないため、衣服等が汚れることを確実に防止することが可能となる。又、図４Ａに示すように、前記多孔質部材２１に向かって芳香性液体Ｌを数滴垂らす際に、前記収容部２２ａが受け皿のように機能して、当該芳香性液体Ｌを多孔質部材２１全体に満遍なく吸収させ易いとともに、外部に零れることを確実に防止することが可能となる。尚、前記収容部２２ａの内側底面には、前記蓋部２２ｂに対応する模様を設けても設けなくても構わない。前記収容部２２ａの内側底面に模様を設けない場合は、コストダウンになるとともに、芳香性液体Ｌの受け皿となる。
【００４４】
又、前記蓋部２２ｂの小開孔２２ｂ１は、前記多孔質部材２１の寸法（例えば、前記多孔質部材２１の長手方向又は短手方向の寸法）よりも小さい寸法の開孔を意味する。又、前記小開孔２２ｂ１の形状は、本発明の目的を阻害しない限り、特に限定は無いが、例えば、無作為な形状でも良いし、図３Ａ、図３Ｂに示すように、複数の小開孔２２ｂ１が組み合わさって所定の図柄や模様を描くように構成しても良い。このように構成すると、芳香性装身具２全体としての装飾性を向上させることが可能となる。
【００４５】
又、前記蓋部２２ｂは、本発明の目的を阻害しない限り、特に限定は無いが、例えば、図３Ａ、図３Ｂに示すように、所定の図柄等を描くように複数の小開孔２２ｂ１が開孔された板型蓋材でも、かご型蓋材でも、編型蓋材でも構わない。
【００４６】
又、前記小容器２２は、本発明の目的を阻害しない限り、特に限定は無いが、例えば、図３Ｂに示すように、前記小容器２２の長手方向の寸法が前記多孔質部材２１の長手方向の寸法よりも大きく、前記小容器２２の短手方向の寸法が前記多孔質部材２１の長手方向の寸法よりも大きく、前記小容器２２の厚さＡが５．０ｍｍ〜１５．０ｍｍの範囲内の小容器、言い換えると、扁平形状な小容器であると好ましい。このような構成であると、例えば、ユーザの上着の胸ポケット等の小さな収納箇所に容易に収納することが出来たり、本発明に係る芳香性装身具２をマフラー、スカーフ、ネクタイ、リボンの裏面に固定して当該芳香性装身具２の存在を他のユーザから隠したり出来るため、周囲から見て違和感が無くなり、ユーザは他のユーザの目を気にすること無く、前記芳香性液体Ｌの香りを楽しむことが可能となる。
【００４７】
又、前記小容器２２の形状は、本発明の目的を阻害しない限り、特に限定は無く、例えば、図３Ａに示すように、多孔質部材２１の形状に類似した形状でも、多孔質部材２１の形状と異なる形状でも構わない。又、前記小容器２２の材質は、例えば、金属、プラスチック、セラミックス等が挙げられる。更に、前記小容器２２の開閉形式は、蝶番式であっても、回転式であっても構わない。
【００４８】
又、前記小容器２２の閉じ方（前記収容部２２ａと蓋部２２ｂとの閉じ方）は、本発明の目的を阻害しない限り、特に限定は無く、例えば、図３、図５に示すように、前記収容部２２ａと蓋部２２ｂとが蝶番式で接合されている場合に、前記収容部２２ａの蝶番と対向する位置に所定の爪部２２ｃを設けるとともに、前記蓋部２２ｂの爪部２２ｃと対向する位置に所定の引っ掛かり部２２ｄを設け、両者の引っ掛けにより、前記収容部２２ａと蓋部２２ｂとを閉じるよう構成しても良い。又、前記爪部２２ｃをプラス（又はマイナス）の磁石に代えるとともに、前記引っ掛かり部２２ｄをマイナス（又はプラス）の磁石に代えて、磁石の接合により、前記収容部２２ａと蓋部２２ｂとを閉じるよう構成しても良い。
【００４９】
図５は、本発明に係る他の芳香性装身具の平面図及び多孔質部材の正面図である。本発明に係る芳香性装身具２は、例えば、図５に示すように、多孔質部材２１の形状をハート型にし、小容器２２の形状を多孔質部材２１のハート型よりも大きいハート型にし、スポイトで芳香性液体Ｌを数滴垂らして吸収させるよう構成しても良い。
【００５０】
図６は、左から、本発明に係る芳香性装身具の蓋部を閉じた状態の平面図、蓋部を開けた状態の平面図、底面図、スナップフックを外した状態の底面図、スナッピンを外した状態の底面図である。本発明に係る芳香性装身具２は、例えば、図６に示すように、多孔性部材２１の形状をカエル型にし、小容器２２の形状を他構成部材２１のカエル型よりも大きい円型にしても良い。又、本発明に係る芳香性装身具２は、収容部２２ａの下方と蓋部２２ｂの下方に蝶番を設け、収容部２２ａの上方と蓋部２２ｂの上方にそれぞれ磁石を設け、爪部２２ｃと引っ掛かり部２２ｄとするよう構成しても良い。更に、本発明に係る芳香性装身具２は、収容部２２ａの（外側）底面（背面）の上方に対して着脱可能なスナップフックを設けるとともに、収容部２２ａの（外側）底面に対して、衣類に装着可能なスナッピン（安全ピン、鉤状の留金つきのピン）を設けるよう構成する。この場合、スナップフックとスナッピンがそれぞれ取り付け部材２３として機能する。
【００５１】
特に、図６に示すように、収容部２２ａの下方と蓋部２２ｂの下方に蝶番を設け、収容部２２ａの上方と蓋部２２ｂの上方にそれぞれ磁石を設け、前記収容部２２ａと蓋部２２ｂとを開閉可能に構成することで、不意に手に当たって蓋部２２ｂが開くことを防止している。又、スナップフックを収容部２２ａの（外側）底面の上方に設けることで、手に当たっても蓋部２２ｂが不意に開くことを防止するとともに、前記スナップフックが手に当たらないように構成している。更に、前記磁石を扁平にすることで、収容部２２ａを出来るだけ扁平形状にして、全体として目立たないように構成している。そして、前記磁石の径のサイズを比較的大きな径とすることで、前記収容部２２ａと蓋部２２ｂとを確実に閉じるように構成している。
【００５２】
図７は、本発明に係る芳香性装身具をカバンの持ち手のアクセサリに取り付けた状態の図である。このように構成すると、例えば、図７に示すように、ユーザのカバンの持ち手又はこの持ち手に予め引っ掛けられたアクセサリに、スナップフックを用いて、本発明に係る芳香性装身具２を取り付けると（固定すると）、外出時でも芳香性液体Ｌの香りを楽しむことが可能となる。
【００５３】
図８は、本発明に係る芳香性装身具を上着の胸ポケットに取り付けた状態の図である。又、例えば、図８に示すように、スナップフックを取り外すとともに、ユーザの上着の胸ポケットの表面に、スナッピンを用いて、本発明に係る芳香性装身具２を取り付けると、他のユーザに目立つこと無く、身に付けたユーザは、いつでも芳香性液体Ｌの香りを楽しむことが可能となる。
【００５４】
図９は、本発明に係る芳香性装身具を傘の下ロクロの受骨に取り付けた状態で下ロクロを上方へ摺動させる場合の３段階の斜視図である。更に、例えば、図９に示すように、傘（例えば、傘の下ロクロ近傍の受骨等）に、スナップフックを用いて、本発明に係る芳香性装身具２を取り付けると、雨等の気分が冴えない時でも、ユーザが芳香性液体Ｌの香りを楽しみ、気分転換を図ることが可能となる。
【００５５】
従って、本発明に係る芳香性装身具２は、芳香性液体Ｌの香りをいつでも手軽に楽しむことが出来るとともに、その香りを携帯することが出来る癒しの道具として最適である。
【００５６】
図１０は、本発明に係る芳香性装身具とアロマとのセットを示す正面図である。尚、本発明に係る芳香性装身具２は、例えば、図１０に示すように、本発明に係る芳香性装身具２を、抗菌作用あり、空気を清潔で爽やかにする効能があるレモンコールドプレスト、リラックスと体の痛みを和らげる効能があるラベンダ、心への癒しの効能があるユーカリグロブロスのアロマとセットで販売すれば、更に、商品としての付加価値を向上させることが可能となる。
【実施例】
【００５７】
以下に、本発明の実施例を挙げて本発明を具体的に説明するが、本発明の適用が本実施例に限定されるものでない。
【００５８】
＜芳香性装身部材と試験方法、試験結果＞
＜実施例１＞
図１に示した本発明に係る芳香性装身部材１を、以下の手順で作成した。先ず、酸化チタンの微粒子を焼結して形成された、厚さが０．５ｍｍである耐食性の焼結金属紙（平均孔径が約０．０５ｍｍ、空孔率が約８０％の多孔性金属紙）を用意し、当該焼結金属紙から、直径Ｄが２０ｍｍである円を切り取り、当該円形の焼結金属片を多孔質部材１１とした。この多孔質部材１１における外表面の面積Ｓは、直径Ｄに基づき、表面の面積と裏面の面積の合計の約６２８ｍｍ２である。又、市販のスナップフックを取り付け部材１２として前記多孔質部材１１に取り付けて、実施例１の芳香性装身部材とした。
【００５９】
＜実施例２＞
実施例１において、切り取った円形の焼結金属片を２枚重ねて角部を適当に固定し、厚さＴを１．０ｍｍとしたこと以外は、実施例１と同様の手順で、実施例２の芳香性装身部材を作成した。
【００６０】
＜実施例３＞
実施例１において、切り取った円形の焼結金属片を４枚重ねて角部を適当に固定し、厚さＴを２．０ｍｍとしたこと以外は、実施例１と同様の手順で、実施例３の芳香性装身部材を作成した。
【００６１】
＜実施例４＞
実施例１において、前記焼結金属紙から、直径Ｄが１０ｍｍである円を切り取り、当該円形の焼結金属片を多孔質部材１１としたこと以外は、実施例１と同様の手順で、実施例４の芳香性装身部材を作成した。尚、この多孔質部材１１における外表面の面積Ｓは、約１５７ｍｍ２である。
【００６２】
＜実施例５＞
実施例１において、前記焼結金属紙から、直径Ｄが４０ｍｍである円を切り取り、当該円形の焼結金属片を多孔質部材１１としたこと以外は、実施例１と同様の手順で、実施例５の芳香性装身部材を作成した。尚、この多孔質部材における外表面の面積Ｓは、約２５１３ｍｍ２である。
【００６３】
＜実施例６＞
実施例２において、多孔質部材１１の裏面にアルミ箔を貼り付けて、当該多孔質部材１１における多孔が外部に露出する外表面の面積を表面の面積の約３１４ｍｍ２にしたこと以外は、実施例２と同様の手順で、実施例６の芳香性装身部材を作成した。
【００６４】
＜実施例７＞
実施例５において、多孔質部材１１の裏面にアルミ箔を貼り付けて、当該多孔質部材１１における外表面の面積を表面の面積の約１２５７ｍｍ２にしたこと以外は、実施例２と同様の手順で、実施例７の芳香性装身部材を作成した。
【００６５】
＜実施例８＞
実施例２において、酸化珪素（セラミックス）の微粒子を焼結して形成された、厚さＴが１．４ｍｍである耐食性の焼結板（平均孔径が約０．０１ｍｍ、空孔率が約５０％）を用意して、当該焼結板を用いて多孔質部材１１を作成したこと以外は、実施例２と同様の手順で、実施例８の芳香性装身部材を作成した。
【００６６】
＜実施例９＞
実施例２において、酸化銀の微粒子を焼結して形成された、厚さＴが２．６ｍｍである耐食性の焼結金属紙（平均孔径が約０．０６ｍｍ、空孔率が約６０％）を用意して、当該焼結金属紙を用いて多孔質部材１１を作成したこと以外は、実施例２と同様の手順で、実施例９の芳香性装身部材を作成した。
【００６７】
＜比較例１＞
実施例１において、酸化チタンの微粒子を焼結して形成された、厚さが０．１ｍｍである耐食性の焼結金属紙（平均孔径が約０．０５ｍｍ、空孔率が約８０％）を用意して、当該焼結金属紙を用いて、厚さＴを０．１ｍｍとしたこと以外は、実施例１と同様の手順で、比較例１の芳香性装身部材を作成した。
【００６８】
＜比較例２＞
実施例１において、切り取った円形の焼結金属片を８枚重ねて角部を適当に固定し、厚さＴを４．０ｍｍとしたこと以外は、実施例１と同様の手順で、比較例２の芳香性装身部材を作成した。
【００６９】
＜比較例３＞
実施例１において、前記焼結金属紙から、直径Ｄが５ｍｍである円を切り取り、当該円形の焼結金属片を多孔質部材１１としたこと以外は、実施例１と同様の手順で、比較例３の芳香性装身部材を作成した。尚、この多孔質部材１１における外表面の面積Ｓは、約３９ｍｍ２である。
【００７０】
＜比較例４＞
実施例１において、前記焼結金属紙から、直径Ｄが６０ｍｍである円を切り取り、当該円形の焼結金属片を多孔質部材１１としたこと以外は、実施例１と同様の手順で、比較例４の芳香性装身部材を作成した。尚、この多孔質部材１１における外表面の面積Ｓは、約５６５５ｍｍ２である。
【００７１】
＜評価方法＞
効果を確認するための評価方法は、下記に示す評価項目に従って行った。
【００７２】
＜芳香性試験＞
芳香性装身部材１の多孔質部材１１に芳香性液体Ｌであるアロマオイル（ラベンダ）を１滴〜３滴ほど垂らして吸収させ、試験者の上着の胸ポケットに取り付け部材１２で固定した。そして、朝から晩まで（約１２時間）継続して芳香性装身部材１を固定した状態とし、その間にアロマオイルが香っていたか否かのアンケートを取って、官能試験で総合的に評価した。試験者は、所定数（例えば、３人）とし、当該評価は、以下に示す３段階で行った。
○：全て試験者は、アロマオイルが香っていたと回答した。
△：半数の試験者は、アロマオイルが香っていたと回答した。
×：全ての試験者は、アロマオイルが香らなかったと回答した。
【００７３】
＜装飾性試験＞
上述の芳香性試験で用いた芳香性装身部材１を試験者の上着の胸ポケットに固定した状態で、所定数（例えば、３人）の観者（観察者）に観察してもらい、当該芳香性装身部材１が目立たないか否か（違和感がないか否か）のアンケートを取って、官能試験で総合的に評価した。当該評価は、以下に示す３段階で行った。
○：全て観者は、芳香性装身部材が目立たないと回答した。
△：半数の観者は、芳香性装身部材が目立たないと回答した。
×：全ての観者は、芳香性装身部材が目立つと回答した。
【００７４】
＜非残存性試験＞
上述の芳香性試験で用いた芳香性装身部材１を１日だけ放置し、所定数（例えば、３人）の試験者に、当該放置後の芳香性装身部材１からアロマオイルが香るか否かのアンケートを取って、官能試験で総合的に評価した。当該評価は、以下に示す３段階で行った。
○：全て試験者は、アロマオイルが殆ど香らないと回答した。
△：半数の試験者は、アロマオイルが殆ど香らないと回答した。
×：全ての試験者は、アロマオイルが香ると回答した。
【００７５】
＜結果＞
図１１は、本発明に係る芳香性装身部材の構成及び試験結果を示す表である。図１１に示すように、多孔質部材１１の外表面の表面積Ｓと厚さＴが適当な範囲内であれば、芳香性試験、装飾性試験、非残存性試験の結果が良好になることが理解される。
【００７６】
＜芳香性装身具と試験方法、試験結果＞
次に、上述した芳香性装身部材１の多孔質部材１１のうち、良好な結果であった多孔質部材１１を用いて、本発明に係る芳香性装身具２を作成し、芳香性試験と非残存性試験を実施した。
【００７７】
＜実施例１０＞
図３に示した本発明に係る芳香性装身具２を、以下の手順で作成した。先ず、酸化チタンの微粒子を焼結して形成された、厚さが０．５ｍｍである耐食性の焼結金属紙（平均孔径が約０．０５ｍｍ、空孔率が約８０％）を用意し、当該焼結金属紙から、直径Ｄが２５ｍｍである円を切り取り、当該円形の焼結金属片を多孔質部材２１とした。更に、図３Ｂに示すように、直径Ｆが３０ｍｍの円形で厚さＡが８ｍｍのアクセサリ用ロケット２２（小容器）を用意した。前記ロケット２２は、収容部２２ａと蓋部２２ｂとを備え、両者は蝶番により開閉可能に構成されており、全て真鍮（金属）の材質である。又、前記蓋部２２ｂには複数の小開孔２２ｂ１が設けられており、当該小開孔２２ｂ１の開口率は重量法により約７５％であった。このロケット２２に多孔質部材２１を収納すれば、当該多孔質部材２１の裏面とロケット２２の収容部２２ａとが密着するため、当該多孔質部材２１における外表面の面積Ｓは、表面の面積の約４９１ｍｍ２となる。又、前記ロケット２２の収容部２２ａに市販のスナップフックを取り付け部材２３として取り付けて、実施例１０の芳香性装身具とした。
【００７８】
＜実施例１１＞
実施例１０において、ロケット２２の蓋部２２ｂの代わりに、直径Ｆが３０ｍｍの円形で厚さが１ｍｍのアルミ板に所定数の小開孔を開孔して開孔率を６０％とした蓋部を用いたこと以外は、実施例１０と同様の手順で、実施例１１の芳香性装身具を作成した。
【００７９】
＜実施例１２＞
実施例１０において、ロケット２２の蓋部２２ｂの代わりに、直径Ｆが約１ｍｍの線材を複数組み合わせることで構成された開孔率が約９５％である、かご型の蓋部を用いたこと以外は、実施例１０と同様の手順で、実施例１２の芳香性装身具を作成した。
【００８０】
＜比較例５＞
実施例１０において、ロケット２２の蓋部２２ｂの代わりに、直径Ｆが３０ｍｍの円形で厚さが１ｍｍのアルミ板に所定数の小開孔を開孔して開孔率を２０％とした蓋部を用いたこと以外は、実施例１０と同様の手順で、比較例５の芳香性装身具を作成した。
【００８１】
＜比較例６＞
実施例１０において、ロケット２２の蓋部２２ｂの代わりに、直径Ｆが３０ｍｍの円形で厚さが１ｍｍのアルミ板に所定数の小開孔を開孔して開孔率を４０％とした蓋部を用いたこと以外は、実施例１０と同様の手順で、比較例６の芳香性装身具を作成した。
【００８２】
＜評価方法＞
効果を確認するための評価方法は、上述した芳香性装身部材１における芳香性試験、非残存性試験に従って実施した。尚、装飾性試験は、ロケット２２の寸法が適当であったため、省略した。
【００８３】
＜結果＞
図１２は、本発明に係る芳香性装飾品の構成及び試験結果を示す表である。図１２に示すように、ロケット２２の蓋部２２ｂの開孔率が適当な範囲内であれば、芳香性試験、非残存性試験の結果が良好になることが理解される。
【００８４】
このように、本発明に係る芳香性装身部材１は、前記芳香性液体Ｌを吸収可能な扁平形状であり、多孔が外部に露出する外表面の面積Ｓが１００ｍｍ２〜２６００ｍｍ２の範囲内であり、厚さＴが０．３ｍｍ〜３．０ｍｍの範囲内である耐食性の多孔質部材１１と、前記多孔質部材１１を所定の部材に取り付け可能な取り付け部材１２とを備え、前記多孔質部材１１に芳香性液体Ｌを数滴だけ吸収させて、前記取り付け部材１２でユーザの衣服又は持ち物に取り付けられることを特徴とする。
【００８５】
これにより、十分な芳香性を有するとともに、目立たせずに身に付けられ、更に、短期間のうちに芳香性液体を発散させることが可能となる。
【００８６】
又、本発明に係る芳香性装身具２は、前記芳香性液体Ｌを吸収可能な扁平形状であり、多孔が外部に露出する外表面の面積Ｓが１００ｍｍ２〜２６００ｍｍ２の範囲内であり、厚さＴが０．３ｍｍ〜３．０ｍｍの範囲内である耐食性の多孔質部材２１と、前記多孔質部材２１を収容可能な収容部２２ａと当該収容部２２ａの上面に開閉可能に設けられた蓋部２２ｂとから構成され、前記蓋部２２ｂに複数の小開孔２２ｂ１が設けられるとともに当該小開孔２２ｂ１の開孔率が５０％〜９９％の範囲内である扁平形状の小容器２２と、前記小容器２２を所定の部材に取り付け可能な取り付け部材２３とを備え、前記収容部２２ａに収容された多孔質部材２１に芳香性液体Ｌを数滴だけ吸収させて、前記蓋部２２ｂを閉じた状態で前記取り付け部材２３でユーザの衣服又は持ち物に取り付けられることを特徴とする。
【００８７】
このように構成しても、上述と同様の作用効果を有するとともに、芳香性液体Ｌの衣服等への付着（汚れ）を確実に防止することが可能となる。
【産業上の利用可能性】
【００８８】
以上のように、本発明に係る芳香性装身部材及び芳香性装身具は、アロマオイル、香水等の芳香性液体を発散させる部材として有用であり、十分な芳香性を有するとともに、目立たせずに身に付けられ、更に、短期間のうちに芳香性液体を発散させることが可能な芳香性装身部材及び芳香性装身具として有効である。
【符号の説明】
【００８９】
１  芳香性装身部材
１１  多孔質部材
１２  取り付け部材
２  芳香性装身具
２１  多孔質部材
２２  小容器
２２ａ  収容部
２２ｂ  蓋部
２２ｂ１  小開孔
２２ｃ  爪部
２２ｄ  引っ掛かり部
２３  取り付け部材
【図１】
2014217708.tif 000003
【図２】
2014217708.tif 000004
【図３】
2014217708.tif 000005
【図４】
2014217708.tif 000006
【図５】
2014217708.tif 000007
【図６】
2014217708.tif 000008
【図７】
2014217708.tif 000009
【図８】
2014217708.tif 000010
【図９】
2014217708.tif 000011
【図１０】
2014217708.tif 000012
【図１１】
2014217708.tif 000013
【図１２】
2014217708.tif 000014